(57)【要約】【課題】本発明は、発言者の映像を切り出し属性を付与して蓄積する配信映像蓄積装置および配信映像蓄積方法に関し、議会などで発言者などを撮影した映像について、発言者の発言の開始位置から終了位置までの区間を切り出して当該発言者の氏名、タイトルなどの属性のテキスト情報を自動付与してテキスト検索可能な映像として蓄積し、配信可能にすることを目的とする。【解決手段】発言者の映像を撮影するカメラと、カメラで撮影した映像から当該発言者の映像の切り出し開始位置および終了位置を検出する手段と、検出された切り出し開始位置および終了位置で挟まれる区間の映像を切り出して発言者の氏名、発言のタイトルなどの属性からなるテキスト情報を付与する手段とを備える。【選択図】  図１
2005020605.tif 000002
【特許請求の範囲】
【請求項１】
発言者の映像を切り出し属性を付与して蓄積する配信映像蓄積装置において、
発言者の映像を撮影するカメラと、
前記カメラで撮影した映像から当該発言者の映像の切り出し開始位置および終了位置を検出する手段と、
前記検出された切り出し開始位置および終了位置で挟まれる区間の映像を切り出して前記発言者の氏名、発言のタイトルなどの属性からなるテキスト情報を付与する手段と
を備えたことを特徴とする配信映像蓄積装置。
【請求項２】
前記発言者に当該発言者のＩＤを書き込んだ無線タグを所持させ、前記発言者が発言台の所定範囲内に入ったと検出あるいは無線タグが検出された時に前記発言者の映像の切り出し開始位置とし、一定時間経過してから前記範囲外に出たと検出されたあるいは無線タグが検出されなくなった時に前記発言者の映像の切り出し終了位置としたことを特徴とする請求項１記載の配信映像蓄積装置。
【請求項３】
前記発言者の発言内容を記載した書類に当該書類のタイトルなどを書き込んだ無線タグを添付し、当該発言者が発言台に無線タグの添付された書類を置いたあるいは発言台に近づいた時に、当該書類に添付された無線タグから当該発言者の発言のタイトルなどを読み取って前記属性としたことを特徴とする請求項１記載の配信映像蓄積装置。
【請求項４】
前記テキスト情報および前記映像をマークアップ言語（ＨＴＭＬ，ＸＭＬなど）で記述して蓄積し、テキスト情報で映像を検索可能にしたことを特徴とする請求項１から請求項３のいずれかに記載の配信映像蓄積装置。
【請求項５】
発言者の映像を切り出して属性を付与して蓄積する配信映像蓄積方法において、
発言者の映像を撮影するカメラとを備え、
前記カメラで撮影した映像から当該発言者の切り出し開始位置および終了位置を検出するステップと、
前記検出された切り出し開始位置および終了位置で挟まれる区間の映像を切り出して前記発言者の氏名、発言のタイトルなどの属性からなるテキスト情報を付与するステップと
を有する配信映像蓄積方法。
【発明の詳細な説明】
【０００１】
【発明の属する技術分野】
本発明は、発言者の映像を切り出し属性を付与して蓄積する配信映像蓄積装置および配信映像蓄積方法に関するものである。
【０００２】
【従来の技術】
従来、議会や講演会などをビデオカメラで撮影した映像を録画する。そして、議員や講演者など毎に切り出して当該議員などの氏名、質問や講演したタイトルなどを手入力して編集し、リプレイ可能な映像を作成していた。
【０００３】
また、司会者が発言内容のテキスト情報を入力し、会議参加者のマイク音量および持続期間から検出した発言区間のマルチメディア情報に当該テキスト情報をリンクづけて記録し、前記テキスト情報をもとに該当するマルチメディア情報を検索する技術がある（特許文献１）。
【０００４】
【特許文献１】
特開平７ー２２６９３１号公報の〔００１０〕および図１など参照。
【０００５】
【発明が解決しようとする課題】
前者の技術では、人手により、撮影した映像から該当する箇所を切り出すと共に当該切り出した映像に議員や講演者などの氏名、タイトルなどをキー入力して付与するという大変な手間が発生してしまい、多量かつ迅速に映像に氏名、タイトルなどを付与し、これら氏名、タイトルなどで検索して視聴できないという問題があった。
【０００６】
また、後者の技術では、司会者が入力したテキスト情報を、参加者からのマイク音量および持続期間から検出した区間のマルチメディア情報にリンクづけし、後にテキスト情報を検索して該当するマルチメディア情報（映像）を取り出して視聴することはできるが、テキスト情報をリンクづけできるのは参加者からの音声が大きくて持続した区間の映像（マルチメディア情報）を取り出してリンク付けできるのみで、司会者が参加者を紹介しない区間や、音声がいったん途切れて、また、始まるというような区間について適性なテキスト情報をリンクづけできないという問題があった。
【０００７】
本発明は、これらの問題を解決するため、議会などで発言者などを撮影した映像について、発言者の発言の開始位置から終了位置までの区間を切り出して当該発言者の氏名、タイトルなどの属性のテキスト情報を自動付与してテキスト検索可能な映像として蓄積し、配信可能にすることを目的としている。
【０００８】
【課題を解決するための手段】
図１を参照して課題を解決するための手段を説明する。
図１において、カメラ１は、発言者（議員など）を撮影して映像を生成するものである。
【０００９】
映像切り出し位置検出手段３は、映像から発言者の映像の切り出し開始位置および終了位置を検出するものである。
映像切り出し手段４は、映像から発言者の映像を切り出すものである。
【００１０】
見出し生成手段５は、発言者の映像に付与する発言者の氏名、タイトルなどの属性からなるテキスト情報を生成するものである。
ＨＴＭＬ自動生成手段６は、発言者の映像および属性からなるテキスト情報をＨＴＭＬ言語を用いて記述したファイルを自動生成するものである。
【００１１】
アップロード手段７は、ＨＴＭＬファイルをアップロードするものである。
次に、動作を説明する。
カメラ１で発言者の映像を撮影し、映像切り出し位置検出手段３が発言者の映像の切り出し開始位置および終了位置を検出し、映像切り出し手段４が検出された切り出し開始位置および終了位置で挟まれる区間の映像を切り出し、見出し生成手段５が切り出した映像に発言者の氏名、発言のタイトルなどの属性からなるテキスト情報を付与し、アップロード手段７がアップロードするようにしている。
【００１２】
この際、オペレータがマウスやキーボードなどの入力機器を用いて、発言者の映像の切り出し開始・終了位置を指定するようにしている。
また、発言者に当該発言者のＩＤを書き込んだタグを所持させ、発言台の所定範囲内に入ったと検出あるいはタグが検出されたときに発言者の映像の切り出し開始位置とし、一定時間経過してから外に出たと検出されたあるいはタグが検出されなくなったときに発言者の映像の切り出し終了位置とするようにしている。
【００１３】
また、発言者の発言内容を記載した書類に当該書類のタイトルなどを書き込んだタグを添付し、当該発言者が発言台にタグの添付された書類を置いたあるいは発言台に近づいたときに、書類に添付されたタグから発言者の発言のタイトルなどを読み取って属性とするようにしている。
【００１４】
また、テキスト情報および映像をＨＴＭＬ言語で記述しアップロードして蓄積し、テキスト情報で映像を検索可能にするようにしている。
従って、議会などで発言者などを撮影した映像について、発言者の発言の開始位置から終了位置までの区間を切り出して当該発言者の氏名、タイトルなどの属性のテキスト情報を自動付与することにより、テキスト検索可能な映像として蓄積することが可能となる。
【００１５】
【発明の実施の形態】
次に、図１から図１２を用いて本発明の実施の形態および動作を順次詳細に説明する。以下の説明では、発言者として議員とし、議員が議会で発言する場合を例に以下順次説明する。
【００１６】
図１は、本発明のシステム構成図を示す。
図１の（ａ）は、概念システム構成図を示す。
図１の（ａ）において、カメラ１は、発言者（議員など）を撮影して映像を生成するものであって、ビデオカメラなどである。
【００１７】
映像取得手段２は、カメラ１で撮影した映像を取り込むものである。
映像切り出し位置検出手段３は、カメラ１で撮影して取り込んだ映像から、発言者の映像の切り出し開始位置および終了位置を検出するものである。
【００１８】
映像切り出し手段４は、検出された切り出し開始位置から終了位置までの映像を切り出すものである。
見出し生成手段５は、発言者の映像に付与する発言者の氏名、タイトル（見出し）などの属性からなるテキスト情報を生成するものである。
【００１９】
ＨＴＭＬ自動生成手段６は、発言者の映像および属性からなるテキスト情報をＨＴＭＬ言語を用いて記述したファイル（ＨＴＭＬファイル）を自動生成するものである。
【００２０】
アップロード手段７は、ＨＴＭＬファイルをネットワークを介してサーバ８にアップロードするものである。
サーバ８は、ＨＴＭＬファイルを多数蓄積したり、エンドユーザの端末９からの検索依頼を受け付けてＨＴＭＬファイルのテキスト情報を検索して該当ＨＴＭＬファイル（映像ファイルも）をダウンロード（配信）したりなどするものである。
【００２１】
図１の（ｂ）は、詳細システム構成図を示す。ここで、１から９は、図１の（ａ）の１から９の番号のものにそれぞれ対応する（１，３，４、６から９の説明は省略する）。
【００２２】
図１の（ｂ）において、映像取得手段２は、映像生成手段２１および切り出し元映像ファイル２２などから構成されるものである。
映像生成手段２１は、カメラ１で撮影された発言者（議員）の映像を取り込むものである。
【００２３】
切り出し元映像ファイル２２は、映像生成手段２１によってカメラ１から取り込まれた切り出し元映像ファイル（必要に応じた圧縮あるいは解像度、フレーム数、色数などにした映像ファイル）である。
【００２４】
見出し生成手段５は、見出し入力手段５５などから構成されるものであって、予め登録されている見出し語辞書（タイトル辞書）から該当するものを取り出したり、発言者の書類に添付したタグに予め書き込まれた見出し語（タイトルなど）を読み出したりなどして見出し語（タイトルなど）などの属性からなるテキスト情報を生成するものである。
【００２５】
次に、図２のフローチャートの順番に従い図１の構成の動作を詳細に説明する。
図２は、本発明の動作説明フローチャート（その１）を示す。
【００２６】
図２において、Ｓ１は、初期設定する。ここでは、図示の下記を初期設定する。
・カメラ位置、アングルの調整
・ネットワークへの接続処理
・議員の会派、会議名、議会の年間スケジュールなどの初期情報入力
ここで、カメラ位置、アングルの調整は、図１のカメラ１で議会で発言する議員の姿が丁度良く撮影できるように、カメラ位置、アングルを調整する。ネットワークへの接続処理は、カメラ１で撮影した映像をリアルタイムに図示外の制御卓に取り込むためのネットワーク接続（例えばＬＡＮに接続、無線ＬＡＮに接続など）の処理を行う。議員の会派、会議名、議会の年間スケジュールなどの初期情報入力は、これから議会で発言しようとする議員の会派、会議名、議会の年間スケジュールなどの属性からなるテキスト情報を予め入力して蓄積しておく。
【００２７】
Ｓ２は、見出し語の入力する。これは、これから議員が発言しようとする内容の見出し語（タイトルなど）を入力（例えば蓄積されている情報から選択、入力）する。
【００２８】
Ｓ３は、撮影開始する。これは、撮影開始ボタンを押下し、カメラ１が撮影を開始する。
Ｓ４は、切り出し元映像ファイルの作成開始する。これは、Ｓ３のカメラ１による撮影開始したことに対応して、切り出し元映像ファイルの作成開始する。
【００２９】
Ｓ５は、議員名、質問項目の選択を行う。これは、画面上からこれから発言しようとする議員の議員名、質問項目の選択を行う。
Ｓ６は、属性番号を一時記憶する。これは、Ｓ５で選択した議員の議員名、質問項目などのテキスト情報に付与した属性番号を一時記憶する。
【００３０】
Ｓ７は、切り出し開始位置を指定する。これは、議員を撮影した映像から、切り出す開始位置を指定する。
Ｓ８は、切り出し終了位置を指定する。これは、議員を撮影した映像から、切り出し終了位置を指定する。
【００３１】
Ｓ９は、該当区間を映像ファイルへ切り出しを行う。これは、カメラ１で撮影した議員の映像について、Ｓ７の切り出し開始位置から、Ｓ８の切り出し終了位置までの区間について切り出して映像ファイルを作成する。
【００３２】
Ｓ１０は、映像ファイル名を確定する。これは、Ｓ９で切り出した議員を撮影した映像ファイルに付与するファイル名を確定（例えば撮影年月日、会議を表す識別番号などをファイル名として確定）する。
【００３３】
Ｓ１１は、属性番号から見出し語を抽出する。これは、Ｓ６で一時記憶した属性番号をもとに属性情報を格納したテーブル（図７参照）から属性情報（会議名、日付、議員名、議員ＩＤ，会派、質問項目など）を抽出する。
【００３４】
Ｓ１２は、ＨＴＭＬファイルを作成する。これは、Ｓ１０で確定した映像ファイル名、Ｓ１１で抽出した見出し語（属性）をもとにこれらをリンクづけたＨＴＭＬファイル（例えば後述する図８の（ｂ）のＨＴＭＬファイル）を作成する。
【００３５】
Ｓ１３は、映像ファイル、ＨＴＭＬファイルをアップロードする。これにより、ＨＴＭＬファイルおよび映像ファイルが図１のサーバ８にアップロードされて蓄積されることとなる。
【００３６】
Ｓ１４は、撮影終了か判別する。ＹＥＳの場合には、Ｓ１５で撮影終了し、一連の処理を終了する。ＮＯの場合には、Ｓ５に戻り繰り返す。
以上によって、議会で議員が発言する状況をカメラ１で撮影し、この間の映像を切り出してファイル名を付与すると共に当該議員の属性情報（議員名、会議名、質問項目など）を抽出し、これら両者をもとにＨＴＭＬファイルに作成してリンク付けしてサーバ８に簡易かつ迅速にアップロードして蓄積し、配信することが可能となる。
【００３７】
図３は、本発明の動作説明フローチャート（その２）を示す。図３は、切り出し開始位置指定後に見出し語を選択するときのフローチャートである。
図３において、Ｓ２５は、切り出し開始位置を指定する。これは、Ｓ２１からＳ２４（図２のＳ１からＳ４と同じ）に続き、切り出し位置を指定（議員が発言台に近づいたので切り出し位置を指定）する。
【００３８】
Ｓ２６は、議員名、質問項目を選択する。発言者である議員の議員名、質問項目を選択する。
Ｓ２８は、切り出し終了位置を指定する。
【００３９】
Ｓ２９は、該当区間を映像ファイルへ切り出しを行う。
Ｓ３０は、映像ファイル名を確定する。
Ｓ３１は、属性番号を一時記憶する。
【００４０】
Ｓ３２は、属性番号から見出し語を抽出する。
そして、Ｓ３２からＳ３５（図２のＳ１２からＳ１５と同じ）により、映像ファイルおよび議員の属性（議員名、議員ＩＤ，日付、質問項目など）をもとにＨＴＭＬファイルを作成して両者をリンク付けし、サーバ８にアップロードする。
【００４１】
図４は、本発明の説明図（切り出し開始・終了位置）を示す。これは、カメラ１で撮影した議員の状況を表す映像ファイル（切り出し元映像ファイル）から、切り出し開始位置から切り出し終了位置までの斜線の区間を切り出し、切り出し後の映像ファイルとして生成した様子を模式的に示す。ここでは、切り出し開始位置８：１０から切り出し終了位置８：３０までの区間の映像を切り出し、切り出し後の映像ファイルとしたものである。
【００４２】
以上のように、切り出し元映像ファイルから、切り出し開始位置および終了位置を指定するのみで自動的に当該開始位置と終了位置の間の区間の映像ファイル（切り出し後の映像ファイル）を切り出すことが可能となる。そして、ファイル名を付与し、別に抽出した属性（議員名、議員ＩＤ，質問項目など）をテキスト情報として両者をＨＴＭＬファイルでリンクづけてサーバ８にアップロードすることが可能となる。
【００４３】
図５は、本発明の画面例を示す。この画面例は、見出し語を登録する画面の例であって、ここでは、図示の下記の情報を登録するためのものである。
・会議名：第１回定例会
・開催日：２００３年７月１日
・議員名：富士通太郎
・質問項目：ゴミ処理問題について
以上の画面上の項目について図示のように入力あるいは選択し、下段の登録ボタンを押下すると、後述する図７の属性情報テーブルに図示のように、属性番号に対応づけて登録されることとなる。
【００４４】
図６は、本発明の操作画面例を示す。これは、議会映像配信システムの操作画面例であって、図示の下記の情報および各種ボタンなどを設けたものである。
・会議名：
・開催日：
・議員名：
・質問項目：
・状態：
・プレビュー画面：
・ボタン：
・中継開始ボタン
・中継終了ボタン
・切り出し開始ボタン
・切り出し終了ボタン
・編集画面ボタン
・その他：
ここで、会議名、開催日、議員名、質問項目、状態は、カメラ１で撮影しようとする議員が発言する会議名、開催日、発言する議員名を選択する欄、議員が質問する質問項目を選択する欄、操作の履歴を表示する欄である。プレビュー画面は、経過時間で示すプレビュー映像を表示する領域である。中継開始ボタン、中継終了ボタンは、カメラ１で議員の発言の中継を開始、終了させるボタンである。切り出し開始ボタン、切り出し終了ボタンは、カメラ１で撮影した議員の発言状況の映像から、手動で切り出し開始、切り出し終了を指示するためのものである。
【００４５】
図７は、本発明の説明図（属性情報テーブルの例）を示す。属性情報テーブルには、図示の下記の情報を対応づけて登録したものである。
・属性番号：
・会議名：
・日付：
・議員名：
・議員ＩＤ：
・会派：
・質問項目：
・その他：
ここで、属性番号は属性に付与した一意の番号である。会議名は議員が発言する会議名である。日付は会議を開催する日付である。議員名、議員ＩＤ、会派は発言（質問）する議員名，議員のＩＤ、会派である。質問項目は議員が質問する質問項目である。
【００４６】
以上のように、属性番号に対応づけて登録した属性（会議名、日付、議員名、議員ＩＤ、質問項目など）を属性情報テーブルに登録して管理することにより、属性番号を指定し当該議員の発言した区間の映像ファイルに当該属性番号で指定された属性情報を付加（ＨＴＭＬファイルを作成して両者をリンク付け）することが可能となる。そして、映像に付加されたテキストの属性情報を検索して該当映像ファイルを視聴することが可能となる。
【００４７】
図８は、本発明の説明図（ＨＴＭＬ）を示す。
図８の（ａ）は画面例を示し、図８の（ｂ）のＨＴＭＬファイル例を示す。図８の（ｂ）のＨＴＭＬファイルは、映像ファイルに属性情報（図７参照）をリンク付けた例を示し、ここでは、図示の下記の属性情報と、映像ファイルとを対応づけたものである。
【００４８】
・第１回定例会
・○○議会
・平成１５年６月定例会  質問議員と質問項目
・富士通太郎議員（ＡＢＣ党）
・ごみ処理問題について
・福祉問題について
・富士通花子議員（ＸＹＺの会）
・住宅政策について
ここで、図８の（ａ）の画面上で右端の該当する映像再生ボタンを押下すると、当該映像再生ボタンにリンクした映像ファイルを自動再生して表示および音声発生して視聴することが可能となる。
【００４９】
図９は、本発明の他のシステム構成図を示す。ここで、１から９は、図１の（ａ）の１から９の番号のものにそれぞれ対応する（１，２（２１，２２）、３，４、６から９の説明は省略する）。
【００５０】
図９において、見出し生成手段５は、ＲＦタグ５１を装着した議員が発言台の近傍に近づくとＲＦタグリーダライタ５３が当該ＲＦタグ５１から議員ＩＤを読み取ったり、ＲＦタグ５２を添付した書類（質問書類）を発言台に載せたりするとＲＦタグリーダライタ５３が当該ＲＦタグ５２から質問項目などを読み取ったりし、更に、見出し検出手段５４がＲＦタグ５１，５２から読み取った議員ＩＤ，見出し情報などをもとに属性情報を自動生成したりなどするものであって、ここでは、ＲＦタグ５１，５２、ＲＦタグリーダライタ５３、見出し検出手段５４などから構成されるものである。
【００５１】
ＲＦタグ５１，５２は、無線でデータを読み取ったりなどするものであって、ここでは、議員ＩＤあるいは属性情報を予め書き込んでおき、必要に応じて読み取るためのものである。
【００５２】
ＲＦタグリーダライタ５３は、議員が質問台に近づく（あるいはゲートを通って入る）と議員の上着などに装着したＲＦタグ５１から議員ＩＤを読み取ると共に切り出し開始位置と検出したり、質問台から離れる（あるいはゲートを通って出る）と切り出し終了位置と検出したり、ＲＦタグ５２の添付された質問書類が発言台に載せられると当該ＲＦタグ５２から質問項目などを読み取ったりなどするものである。
【００５３】
見出し検出手段５４は、ＲＦタグリーダライタ５３がＲＦタグ５１，５２から読み取った議員ＩＤ，質問項目などをもとに属性情報（議員名、質問項目など）を生成するものである。
【００５４】
以上のように、議員が発言台に近づく（あるいはゲートを通って入る）と装着されたＲＦタグ５１から議員ＩＤをＲＦタグリーダライタ５３が読み取って切り出し開始位置を自動検出したり、発言台から離れる（あるいはゲートを通って出る）と切り出し終了位置を自動検出してこれらの間の区間の映像を自動的に切り出すと共に、議員ＩＤ，質問項目などから属性情報（見出し項目など）を自動生成し、ＨＴＭＬファイルを自動作成して両者をリンクづけしてサーバ８に自動アップロードして蓄積することが可能となる。
【００５５】
図１０は、本発明の他の動作説明フローチャートを示す。ここで、Ｓ４１、Ｓ４９からＳ５５は、図２のＳ１、Ｓ９からＳ１５に対応してそれぞれ同一であるので、説明を省略する。
【００５６】
図１０において、Ｓ４２は、見出し語をＲＦタグへ書き込む。これは、議員名（議員ＩＤ）を議員が装着するＲＦタグ５１に書き込んで議員に装着させ、質問項目をＲＦタグ５２に書き込んで質問書類に添付する。
【００５７】
Ｓ４３は、撮影開始する。これは、撮影開始ボタンを押下し、カメラ１が撮影を開始する。
Ｓ４４は、切り出し元映像ファイルの作成開始する。これは、Ｓ４３のカメラ１による撮影開始したことに対応して、切り出し元映像ファイルの作成開始する。
【００５８】
Ｓ４５は、議員名をＲＦタグ５１から検出する。これは、議員が発言台に近づいたとき（あるいはゲートを通って入ったとき）にＲＦタグリーダライタ５３がＲＦタグ５１から議員ＩＤを読み取って検出する。
【００５９】
Ｓ４６は、質問項目をＲＦタグ５２から検出し、属性番号を一時記憶する。これは、議員がＲＦタグ５２に添付された質問書類を発言台の上に載せると当該ＲＦタグ５２から質問項目をＲＦリーダライタ５３が読み取り、当該読み取った質問項目の属性番号を一時記憶する。
【００６０】
Ｓ４７は、切り出し開始位置を指定する。
Ｓ４８は、切り出し終了位置を指定する。
そして、Ｓ４９からＳ５５（既述した図２のＳ９からＳ１５）の手順により、切り出し開始位置から切り出し終了位置の区間の映像と、質問項目などの属性情報とをもとにＨＴＭＬファイルを自動作成し、サーバ８にアップロードして蓄積することが可能となる。
【００６１】
以上によって、議会で議員が発言する状況をカメラ１で撮影し、この間の映像を切り出してファイル名を付与すると共にＲＦタグ５１，５２によって自動読み取りした議員の属性情報（議員名、会議名、質問項目など）をもとにＨＴＭＬファイルに自動作成してリンク付けしてサーバ８に簡易かつ迅速にアップロードして蓄積し、配信することが可能となる。
【００６２】
図１１は、本発明の他の動作説明フローチャートを示す。ここで、Ｓ６１からＳ６４、Ｓ６９からＳ７５は、既述した図１０のＳ４１からＳ４４、Ｓ４９からＳ５５に対応するので、説明を省略する。
【００６３】
図１１において、Ｓ６５は、議員名をＲＦタグ５１から検出する（議員単位で切り出すときは、切り出し開始位置を検出する）。これは、議員が発言台に近づいたとき（あるいはゲートを通って入ったとき）にＲＦタグリーダライタ５３がＲＦタグ５１から議員ＩＤを読み取って検出する。この際、議員単位（議員毎）に切り出すときはＲＦタグ５１から議員ＩＤを読み取る毎に切り出し開始位置として検出する。
【００６４】
Ｓ６６は、質問項目をＲＦタグ５２から検出し、属性番号を一時記憶する。これは、議員がＲＦタグ５２に添付された質問書類を発言台の上に載せる（あるいはページをめくる）と当該ＲＦタグ５２から質問項目をＲＦリーダライタ５３が読み取り、当該読み取った質問項目の属性番号を一時記憶する。この際、質問項目単位（質問項目毎）に切り出すときはＲＦタグ５２から質問項目を読み取る毎に切り出し開始位置と検出する（この場合には、質問書類のページ毎に１質問項目が記載され、ページ毎にＲＦタグ５２が添付されているとする）。
【００６５】
Ｓ６７は、質問用紙が所定位置から除かれたとき、質問項目単位で切り出すときは切り出し終了位置と検出する。
Ｓ６８は、議員単位で切り出すときは、議員がゲートを２回目に通過したときに、切り出し終了位置と検出する。これは、議員単位に切り出す場合には、ＲＦタグ５１を装着した議員がゲートを２回目に通過（あるいはゲートの内から外に出る）と、切り出し終了位置と検出する。
【００６６】
Ｓ６９からＳ７５（既述した図１０のＳ４９からＳ５５）の手順により、切り出し開始位置から切り出し終了位置の区間（あるいは切り出し開始位置から次の切り出し開始位置の区間）の映像と、質問項目などの属性情報とをもとにＨＴＭＬファイルを自動作成し、サーバ８にアップロードして蓄積することが可能となる。
【００６７】
以上によって、議会で議員が発言する状況をカメラ１で撮影し、ＲＦタグ５１から自動読み取りした議員ＩＤをもとに映像を自動的に切り出して映像ファイルを自動生成すると共にＲＦタグ５２から読み取った属性情報（議員名、会議名、質問項目など）をもとにＨＴＭＬファイルに自動作成してリンク付けしてサーバ８に簡易かつ迅速にアップロードして蓄積し、配信することが可能となる。
【００６８】
図１２は、本発明の説明図（切り出し開始位置のみを検出する場合）を示す。これは、ＲＦタグ５１を装着した議員が発言台に近づいたとき（あるいはゲートを通過して発言台に近づいたとき）、あるいはＲＦタグ５２を添付した質問書類を発言台に置いたとき（あるいは質問書類のページをめくったとき）にこれらＲＦタグ５１，５２からデータ（議員ＩＤ、質問項目など）を読み取ったときに映像切り出し開始位置と検出し、切り出し元映像から映像の切り出しを開始し、次の映像切り出し開始位置を映像切り出し終了位置として切り出し終了する様子を模式的に表示したものである。例えば左端の基点の０分から１０分後にＲＦタグ５１，５２のいずれかからデータ（議員ＩＤあるいは質問項目）を検出して切り出し開始位置とし、次の２０分後にＲＦタグ５１，５２のいずれかからデータ（議員ＩＤあるいは質問項目）を検出したときに切り出し終了位置と検出すると共に、次の映像の切り出し開始位置としたものである。
【００６９】
【発明の効果】
以上説明したように、本発明によれば、議会などで発言者などを撮影した映像について、発言者の発言の開始位置から終了位置までの区間を切り出して当該発言者の氏名、タイトルなどの属性のテキスト情報を自動付与する構成を採用しているため、発言者（議員など）の映像を自動的に切り出してタイトル、氏名などの属性からなるテキスト情報をリンク付けして簡易かつ迅速に蓄積することが可能となる。これにより、映像とリンク付けして蓄積したテキストの属性情報（氏名、タイトルなど）を指定して検索し該当する映像を簡易に視聴（配信）できる。
【図面の簡単な説明】
【図１】本発明のシステム構成図である。
【図２】本発明の動作説明フローチャート（その１）である。
【図３】本発明の動作説明フローチャート（その２）である。
【図４】本発明の説明図（切り出し開始・終了位置）である。
【図５】本発明の画面例（見出し語登録）である。
【図６】本発明の操作画面例である。
【図７】本発明の属性情報テーブルの例である。
【図８】本発明の説明図（ＨＴＭＬ）である。
【図９】本発明の他のシステム構成図である。
【図１０】本発明の他の動作説明フローチャートである。
【図１１】本発明の他の動作説明フローチャートである。
【図１２】本発明の説明図（切り出し開始位置のみ検出する場合）である。
【符号の説明】
１：カメラ
２：映像取得手段
２１：映像生成手段
２２：切り出し元映像ファイル
３：映像切り出し位置検出手段
４：映像切り出し手段
５：見出し生成手段
５１，５２：ＲＦタグ
５３：ＲＦタグリーダライタ
５４：見出し検出手段
５５：見出し入力手段
６：ＨＴＭＬ自動生成手段
７：アップロード手段
８：サーバ
９：エンドユーザ（端末）
【図１】
2005020605.tif 000003
【図２】
2005020605.tif 000004
【図３】
2005020605.tif 000005
【図４】
2005020605.tif 000006
【図５】
2005020605.tif 000007
【図６】
2005020605.tif 000008
【図７】
2005020605.tif 000009
【図８】
2005020605.tif 000010
【図９】
2005020605.tif 000011
【図１０】
2005020605.tif 000012
【図１１】
2005020605.tif 000013
【図１２】
2005020605.tif 000014